(57)【要約】【課題】ＲＰＲフレーム及び非ＲＰＲフレームをＲＰＲネットワーク上で伝送できるステーション装置を実現する。【解決手段】リングネットワークＲＮと他のネットワークＮＴ１との間でフレームを中継するフレーム転送装置Ｓ１は、リングネットワークＲＮとのフレームの送受信処理を行う第１インタフェース部３ａ、３ｂと、他のネットワークＮＴ１とのフレームの送受信処理を行う第２インタフェース部５ａ〜５ｘと、他のネットワークＮＴ１からの第１形式のフレームを第２形式のフレームに変換する処理を行う処理部１と、第１インタフェース部３ａ、３ｂ、第２インタフェース部５ａ〜５ｘ及び処理部１がそれぞれ接続される複数のポートを有し各ポートの間でフレームを交換するフレーム交換部７と、フレームの識別情報、フレーム交換部７における出力先ポート識別子及び第２形式のフレームへの変換の要否情報との対応を記憶するテーブル８１と、を備える。【選択図】図７
2008211569.tif 000002
【特許請求の範囲】
【請求項１】
リングネットワーク上に配置され、該リングネットワークと他のネットワークとの間でフレームを中継するフレーム転送装置であって、
前記リングネットワークとのフレームの送受信処理を行う第１インタフェース部と、
前記他のネットワークとのフレームの送受信処理を行う第２インタフェース部と、
前記他のネットワークからの第１形式のフレームを第２形式のフレームに変換する処理を行う処理部と、
前記第１インタフェース部、前記第２インタフェース部及び前記処理部がそれぞれ接続される複数のポートを有し、これら各ポートの間でフレームを交換するフレーム交換部と、
フレームの識別情報、前記フレーム交換部における出力先ポート識別子及び前記第２形式のフレームへの変換の要否を示すフレーム変換要否情報の対応を記憶するテーブルと、
を備えることを特徴とするフレーム転送装置。
【請求項２】
前記第１形式のフレームはＭＡＣフレームであり、前記第２形式のフレームはＲＰＲ（Ｒｅｓｉｌｉｅｎｔ  Ｐａｃｋｅｔ  Ｒｉｎｇ）フレームであり、前記フレームの識別情報はＭＡＣアドレスまたはＶＬＡＮアドレスである請求項１に記載のフレーム転送装置。
【請求項３】
前記第１インタフェース部は、前記第２インタフェース部からの前記第１形式のフレームと、前記処理部からの前記第２形式のフレームと、が転送されたとき、前記第２形式のフレームを前記第１形式のフレームに優先して前記リングネットワークへ送信することを特徴とする請求項１に記載のフレーム転送装置。
【請求項４】
前記第１インタフェース部から前記リングネットワークへ送信されるフレームの流量に応じて、前記第２インタフェース部から前記第１インタフェース部へ転送される前記第１形式のフレームの流量を制限するフレーム流量制限部を、さらに備えることを特徴とする請求項１〜３のいずれか一項に記載のフレーム転送装置。
【請求項５】
前記第２インタフェース部は、前記他のネットワークから受信した前記リングネットワークへ送信されるべき前記第１形式のフレームが、前記第２形式のフレームへ変換されるべきか否かを判定する変換要否判定部を備えることを特徴とする請求項１〜４のいずれか一項に記載のフレーム転送装置。
【発明の詳細な説明】
【技術分野】
【０００１】
本発明は、フレーム（パケット）転送装置に関し、特にレジリエントパケットリング（RPR: Resilient Packet Ring）ネットワーク上に配置され、ＲＰＲネットワークと他の伝送路との間でフレームを中継するステーション装置に関する。
【背景技術】
【０００２】
ＲＰＲはＩＥＥＥ８０２．１７に規定されたパケット転送に関するネットワークプロトコル技術であり、リング状に構成された伝送路の限られた伝送帯域をＲＰＲネットワーク上の各ステーション間で公平に利用させる、いわゆるフェアネス制御を実現する技術である。そして、ＲＰＲフレームネットワーク外のネットワークからステーションが受信したパケットをカプセル化してＰＲＰネットワーク内へ転送し、他のステーションでデカプセル化して、パケットの宛先に対応する他のネットワークへ送出する機能を有している。
図１は、ＲＰＲネットワークの構成例を示す図である。図示するとおりＲＰＲネットワークＲＮは、ステーション装置Ｓ１〜Ｓ４と、これらを接続する０系伝送路Ｒ０（リングレット０: Ringlet 0）及び１系伝送路Ｒ１（リングレット１）からなる二重リング状伝送路から構成される。これらステーション装置Ｓ１〜Ｓ４には、それぞれ外部ネットワークＮＴ１〜ＮＴ４が接続され、ＲＰＲネットワークＲＮは、これらのネットワークＮＴ１〜ＮＴ４間でやりとりされるフレーム（パケット）を中継する。
【０００３】
図２は、従来のステーション装置の構成例を示すブロック図である。図示する通り、ステーション装置Ｓ１は、ＲＰＲ処理部１と、高速側インタフェース（Ｈ−ＩＮＦ）３ａ及び３ｂと、低速側インタフェース（Ｌ−ＩＮＦ）５ａ〜５ｘと、フレーム交換部７と、を備える。
高速側インタフェース３ａ及び３ｂは、ＲＰＲネットワークＲＮを構成する伝送路であるリングレットとの間でフレームの送受信処理を行う。高速側インタフェース３ａは、ステーション装置Ｓ１からリングレット０へとフレームが送信される方向、すなわちＷｅｓｔ方向に対して設けられ、一方で高速側インタフェース３ｂは、ステーション装置Ｓ１からリングレット１へとフレームが送信される方向、すなわちＥａｓｔ方向に対して設けられている。
また、低速側インタフェース５ａ〜５ｘは、外部ネットワークＮＴ１との間でフレームの送受信を行う。
【０００４】
ＲＰＲ処理部１は、低速側インタフェース５ａ〜５ｘから受信したフレームをＲＰＲフレームにカプセル化してＲＰＲネットワークＲＮへ送信する、及びＲＰＲネットワークＲＮ上を流れるＲＰＲフレームのうち外部ネットワークＮＴ１へとドロップ（転送）すべきフレームを取り込んでデカプセル化する、等のＲＰＲ処理を行う。図３は、図２に示すステーション装置Ｓ１内のＲＰＲ処理部１の構成例を示すブロック図である。簡単のため、リングレット１のみに関するＲＰＲフレームの流れを示している。
ＲＰＲ処理部１は、図示する通りフィルタ９１、インプットキュー９２、トランジットキュー（ＴＱ）９３、アウトプットキュー９４、スケジューラ９５及びフレーマ９６を備える。
【０００５】
フィルタ９１は、高速側インタフェース３ａがリングレット１から受信したＲＰＲフレームのうちから、外部ネットワークＮＴ１へとドロップすべきＲＰＲフレームを抽出してインプットキュー９２に転送し、他のＲＰＲフレームをトランジットキュー９３へ転送する。
インプットキュー９２は、フィルタ９１から抽出されたＲＰＲフレームを、外部ネットワークＮＴ１へ送信するまでの間滞留する。トランジットキュー９３は、ステーション装置Ｓ１が受信したＲＰＲフレームのうちドロップされないものを、高速側インタフェース３ｂを経由して次段のステーション装置Ｓ２に転送すべくリングレット１から送信するまでの間一時滞留する。
アウトプットキュー９４は、外部ネットワークＮＴ１からリングレット１（Ｅａｓｔ方向）へと送信するべきフレームを一時滞留し、スケジューラ９５は、トランジットキュー９３及びアウトプットキュー９４に記憶された各フレームをリングレット１（Ｅａｓｔ方向）へ送信するタイミングを制御する。
フレーマ９６は、ＲＰＲフレームから非ＲＰＲフレームへのカプセル化と、非ＲＰＲフレームからＲＰＲフレームへのデカプセル化とを行う。
【０００６】
図２に示すフレーム交換部７は、低速ネットワークインタフェース５ａ〜５ｘを経由して外部ネットワークＮＴ１から受信した非ＲＰＲフレームを、ＲＰＲ処理部１へと転送すると共に、ＲＰＲ処理部１によりドロップされてデカプセル化された非ＲＰＲフレームを、低速ネットワークインタフェース５ａ〜５ｘのいずれかへ転送する。このときフレーム交換部７は、ＲＰＲ処理部１によりデカプセル化されたフレームの宛先アドレスを参照して、各フレームを低速ネットワークインタフェース５ａ〜５ｘのいずれへ転送するかを決定する。
【０００７】
実際のステーション装置Ｓ１は、安定性を向上させるために、冗長性を持たせて構成される。図４はフレーム交換部７に冗長性を持たせた構成例を示し、図５は更にＲＰＲ処理部１に冗長性を持たせた構成例を示すブロック図である。
なお、各高速ネットワークインタフェース３ａ〜３ｄは同様の機能を有するので、高速ネットワークインタフェースの１つを代表的に示す場合には、単に「高速ネットワークインタフェース３」と示す場合がある。同様に低速ネットワークインタフェース５ａ〜５ｘのうちの１つを代表的に示す場合には、単に「低速ネットワークインタフェース５」と示す場合がある。
なお下記特許文献１には、一般データと優先データを別々に処理し、それぞれの送信処理順序を制御する制御手段を設けることで、平均的にパースト伝送を回避する送信装置が開示されている。
また下記特許文献２には、入力パケットのＴＴＬの値に応じて優先度の異なるキューを割り当てることにより、スケジューラを用いてパケット送信に優先順位を設けるネットワークシステムが開示されている。
【０００８】
【特許文献１】特開２００３−２７３９２０号公報
【特許文献２】特開２００３−３４８１４０号公報
【発明の開示】
【発明が解決しようとする課題】
【０００９】
ＲＰＲプロトコルは、障害復旧能力が高く、ステーション間における利用帯域の公平性を確保することができる等の長所を有する一方で、ＲＰＲフレームへのカプセル化によるオーバヘッドのために伝送効率が低下するという短所も有する。またＲＰＲフレームへのカプセル化およびデカプセル化の処理によるフレームの処置遅延も生じる。
したがって、ＲＰＲが有する機能を必要とせずかつＲＰＲを利用しないで、異なるステーション装置配下のクライアント同士でポイントトゥポイント伝送を行う場合には、ＲＰＲ処理を行わずに通常のＭＡＣフレームを伝送し、それぞれのフレーム交換部７においてＭＡＣアドレスによるフォワーディングを行うことによりフレームの中継を行った方が伝送効率がよい。
【００１０】
しかしながら、図２に示す従来のステーション装置の構成では、ＲＰＲ処理部１が直接高速側インタフェース３との間でフレームをやりとりするため、高速側インタフェース３を介して他のステーション装置と送受信される全てのフレームがＲＰＲ処理の対象となっていた。このためＲＰＲの有する機能を必要としない、クライアント同士でポイントトゥポイント伝送されるフレーム、すなわちＲＰＲ処理が不要なフレームに対してもＲＰＲ処理が行われ、そのためにＲＰＲカードが余分に装着されていた。
また、図２に示す従来のステーション装置の構成において、ＲＰＲ処理を必要としないフレームを高速側インタフェース３と直接やりとりするために、ＲＰＲ処理部１をバイパスする回線を高速側インタフェース３と低速側インタフェース５との間に新たに設けると、バックボード配線が多大となる。
【００１１】
また上記の通りＲＰＲ処理部１をバイパスする回線を設けたとしても、下記の理由により、ＲＰＲフレームを取り扱う伝送帯域と通常のＭＡＣフレームを取り扱う伝送帯域とを混在させながらＲＰＲネットワーク回線を使用することができない。このため、ＲＰＲフレームを取り扱う伝送帯域と通常のＭＡＣフレームを取り扱う伝送帯域とが固定されるため、ＲＰＲネットワークＲＮの伝送帯域の利用効率を低減させる。図６の（Ａ）は、ＲＰＲフレームを取り扱う伝送帯域と通常のＭＡＣフレームを取り扱う伝送帯域とを固定させてＲＰＲネットワーク回線を使用する状態の模式図であり、図６の（Ｂ）は、ＲＰＲフレームを取り扱う伝送帯域と通常のＭＡＣフレームを取り扱う伝送帯域とを混在させてＲＰＲネットワーク回線を使用する状態の模式図である。
図６の（Ａ）は、固定的に伝送帯域が割り当てられることを示しており、例えばトータルの伝送帯域が１０Ｇｂｐｓである場合、ＲＰＲフレームの伝送帯域として固定的に５Ｇｂｐｓの伝送帯域を割り当てて、非ＲＰＲフレームに残りの５Ｇｂｐｓを割り当てる、という場合を示している。
一方、図６の（Ｂ）は蔵的に伝送帯域が割り当てられていることを示しており、例えばトータルの伝送帯域が１０Ｇｂｐｓである場合、ＲＰＲフレームの伝送帯域は、ある時点ではＲＰＲフレームの伝送帯域として４Ｇｂｐｓの伝送帯域が割り当てられ、非ＲＰＲに残りの６Ｇｂｐｓが割り当てられる、という場合を示している。
【００１２】
すなわち、ＲＰＲフレームを取り扱う伝送帯域と通常のＭＡＣフレームを取り扱う伝送帯域とを混在させる場合には、ＲＰＲフレームに対して非ＲＰＲフレームを再び統計多重する必要があるが、この再統計多重処理はＲＰＲプロトコルと無関係に行われるため、この再統計多重処理によってＲＰＲプロトコルで使用する制御情報を伝送する制御フレームが破棄されるおそれがある。このためＲＰＲフレームと通常のＭＡＣフレームとを単純に統計多重して両者を取り扱う伝送帯域を混在させるとＲＰＲプロトコルが正常に機能しなくなるおそれがある。
【００１３】
本発明は上記問題点に鑑みてなされたものであり、ＲＰＲフレーム及び非ＲＰＲフレームの両方をＲＰＲネットワーク上へ伝送できるステーション装置を実現することを目的とする。またこのようなステーション装置において、ＲＰＲフレームの伝送帯域と非ＲＰＲフレームの伝送帯域を混在させる、すなわちＲＰＲフレームの伝送に利用される伝送帯域と非ＲＰＲフレームの伝送に利用される伝送帯域とを動的に変更させながら、ＲＰＲネットワーク伝送路を利用することを目的とする。
【課題を解決するための手段】
【００１４】
本発明の一実施形態によれば、リングネットワーク上に配置され、このリングネットワークと他のネットワークとの間でフレームを中継するフレーム転送装置であって、リングネットワークとのフレームの送受信処理を行う第１インタフェース部と、他のネットワークとのフレームの送受信処理を行う第２インタフェース部と、他のネットワークからの第１形式のフレームを第２形式のフレームに変換する処理を行う処理部と、第１インタフェース部、第２インタフェース部及び処理部がそれぞれ接続される複数のポートを有し、これら各ポートの間でフレームを交換するフレーム交換部と、フレームの識別情報、フレーム交換部における出力先ポート識別子及び第２形式のフレームへの変換の要否を示すフレーム変換要否情報の対応を記憶するテーブルと、を備えるフレーム転送装置が提供される。
このように、第１インタフェース部と第２インタフェース部との間、並びに第１及び第２のインタフェース部と処理部との間をフレーム交換部で接続することにより、フレーム交換部が有する経路選択機能によって、第１インタフェース部と第２インタフェース部との間で直接フレームの転送が可能となる。したがって処理部においてＲＰＲ処理を行う場合において、処理部をバイパスするために多大なバックボード配線を設ける必要がなくなる。
【００１５】
ここで、第１インタフェース部は、第２インタフェース部からの第１形式のフレームと、処理部からの第２形式のフレームが転送されたとき、第２形式のフレームをリングネットワークへ送信するように構成される。
このように第１インタフェース部を構成することによって、例えば第２形式のフレームとしてＲＰＲフレームを採用したとき、ＲＰＲフレーム形式で伝送される制御フレームが破棄されることが防止されるため、リングネットワーク上においてＲＰＲフレームと非ＲＰＲフレームとを取り扱う伝送帯域を混在させてもＲＰＲプロトコルを正常に機能させることができる。
【発明の効果】
【００１６】
本発明によれば、ＲＰＲフレーム及び非ＲＰＲフレームの両方をＲＰＲネットワーク上へ伝送できるステーション装置を実現することができる。またこのようなステーション装置において、ＲＰＲフレームと非ＲＰＲフレームとを取り扱う伝送帯域を混在させ、それぞれの伝送帯域を動的に変更することが可能となる。
【発明を実施するための最良の形態】
【００１７】
以下、添付する図面を参照して本発明の実施例を説明する。図７は、本発明によるステーション装置の第１実施例の構成を示すブロック図である。ステーション装置Ｓ１は、図１を参照して説明したＲＰＲネットワークＲＮ上に配置され、リングレット０及びリングレット１と外部ネットワークＮＴ１とを接続し、ＲＰＲフレーム及び非ＲＰＲフレームを中継する。
図７に示すようにステーション装置Ｓ１は、リングレットＲ０及びＲ１に対してフレームの送受信処理を行う高速側インタフェース３ａ及び３ｂと、外部ネットワークＮＴ１との間でフレームの送受信を行う低速側インタフェース５ａ〜５ｘと、リングレットＲ０及びＲ１からのフレームのドロップ処理（転送処理）やリングレットＲ０及びＲ１へのフレームのアド処理などを含むＲＰＲ処理を行うＲＰＲ処理部１とを備えている。
ここに、高速側インタフェース３ａ及び３ｂは特許請求の範囲に記載された第１インタフェース部に対応し、低速側インタフェース５ａ〜５ｘは、特許請求の範囲に記載された第２インタフェース部に対応する。
また、外部ネットワークＮＴ１との間で送受されるＭＡＣフレームは特許請求の範囲に記載された第１形式のフレームに対応し、リングレットＲ０及びＲ１との間で送受されるＲＰＲフレームは特許請求の範囲に記載された第２形式のフレームに対応する。そして、ＭＡＣフレームからＲＰＲフレームへの変換処理を行うＲＰＲ処理部１は、特許請求の範囲に記載された処理部に対応する。
【００１８】
さらにステーション装置Ｓ１は、複数の接続ポートを有し、これらのポートから受信したフレームを任意のポートへ転送することが可能な（すなわち任意の一対のポート間でフレームを交換することが可能な）フレーム交換部７を備えており、これらの各接続ポートに、高速側インタフェース３ａ及び３ｂ、低速側インタフェース５ａ〜５ｘ及びＲＰＲ処理部１が接続されている。
【００１９】
高速側インタフェース３、低速側インタフェース５及びＲＰＲ処理部１は、フレーム交換部７へフレームを出力するとき、このフレームが高速側インタフェース３、低速側インタフェース５及びＲＰＲ処理部１のいずれに転送されるべきかを示す、各接続ポートに対応するアドレス情報をこのフレームに付加する。
フレーム交換部７は、このアドレス情報を参照してそのフレームに対応するポートに出力できるように構成されている。このためフレーム交換部７は、ある接続ポートから入力されたフレームを所望の他の接続ポートへ転送することができる。このようなフレーム交換部７は既存のルータ装置を用いて容易に実現可能である。
【００２０】
図８の（Ａ）はＭＡＣフレームの形式の例を示し、図８の（Ｂ）は図８の（Ａ）に示すＭＡＣフレームをカプセル化したＲＰＲフレームの形式の例を示す図である。ここで、図８の（Ｂ）のＲＰＲフレームの形式から図８の（Ａ）に示すＭＡＣフレーム形式に変換する処理はデカプセル化と呼ばれる。
高速側インタフェース３、低速側インタフェース５及びＲＰＲ処理部１は、図８の（Ａ）に示すＭＡＣフレームをフレーム交換部７へ送信するとき、フレーム交換部内経路選択用ヘッダをＭＡＣフレームへ付加する。フレーム交換部内経路選択用ヘッダが付加されたＭＡＣフレームを図９の（Ａ）に示す。
【００２１】
フレーム交換部内経路選択用ヘッダには、上述した、フレーム交換部７内におけるフレームの転送先の接続ポートを示すアドレス情報のほか、後述するようにフレームの送信優先度を定める優先度情報を含む。なお図９の（Ａ）においてＭＡＣフレームの末尾に付加される「ＰＡＤ」データは、フレーム長を一定長に保つために付加される。
また、高速側インタフェース３及びＲＰＲ処理部１は、図８の（Ｂ）に示すＲＰＲフレームをフレーム交換部７へ送信するときに、フレーム交換部内経路選択用ヘッダをＭＡＣフレームへ付加する。フレーム交換部内経路選択用ヘッダが付加されたＭＡＣフレームを図９の（Ｂ）に示す。
【００２２】
このように、高速側インタフェース３と低速側インタフェース５との間、ＲＰＲ処理部１と高速側インタフェース３との間、ＲＰＲ処理部１と低速側インタフェース５との間を、同じフレーム交換部７を介して接続することにより、高速側インタフェース３と低速側インタフェース５との間でフレームを伝送する経路として、ＲＰＲ処理部１を経由する経路及びＲＰＲ処理部１を経由しない経路の両方の経路を、容易に切り替えて構成することができる。この様子を図１０を参照して説明する。
【００２３】
低速側インタフェース５ｂを介して外部ネットワークＮＴ１と送受信される全てＭＡＣフレームが、ＲＰＲフレーム化されてＲＰＲネットワークＲＮ上で伝送され、一方で低速側インタフェース５ａを介して送受信される全てＭＡＣフレームが、ＲＰＲフレーム化されずにＲＰＲネットワークＲＮ上で伝送するように、ステーション装置Ｓ１を構成する場合を想定する。
【００２４】
低速側インタフェース５ｂは、フレーム交換部７へフレームを出力するときに、ＲＰＲ処理部１が接続される接続ポートを宛先アドレスとして示すことにより、ＭＡＣフレームはフレーム交換部７内の経路９０１を通ってＲＰＲ処理部１へ転送され、ＲＰＲフレーム化される。そして、ＲＰＲ処理部１がフレーム交換部７へフレームを出力するときに、高速側インタフェース３が接続された接続ポートを宛先アドレスとして示すことにより、経路９０２を通ってＲＰＲフレームが高速側インタフェース３へ転送され、高速側インタフェース３に応じたリングレットへ送信される。
また高速側インタフェース３は、ＲＰＲフレームを受信すると、フレーム交換部７へフレームを出力するときに、ＲＰＲ処理部１が接続される接続ポートを宛先アドレスとして示す。これによりＲＰＲフレームが経路９０３を通ってＲＰＲ処理部１へ転送され、ここでデカプセル化されて非ＲＰＲフレーム、すなわちＭＡＣフレームとなる。そして、ＲＰＲ処理部１がフレーム交換部７へＭＡＣフレームを出力するときに、低速側インタフェース５ｂが接続された接続ポートを宛先アドレスとして示すことにより、経路９０４を通ってＭＡＣフレームが低速側インタフェース５ｂへ転送される。
【００２５】
一方で、低速側インタフェース５ａは、フレーム交換部７へフレームを出力するときに、高速側インタフェース３が接続される接続ポートを宛先アドレスとして示すことにより、ＭＡＣフレームは経路９０５を通って高速側インタフェース３へ直接転送され、ＲＰＲフレーム化されずに高速側インタフェースに応じたリングレットへ送信される。
また、高速側インタフェース３は、対応するリングレットから非ＲＰＲフレームを受信すると、フレーム交換部７へフレームを出力するときに、低速側インタフェース５ａが接続される接続ポートを宛先アドレスとする交換部内経路選択用ヘッダを付与する。これにより非ＲＰＲフレームは経路９０６を通って低速側インタフェース５ａへ直接転送される。図１１の（Ａ）〜（Ｅ）は、それぞれ図１０の各部Ａ〜Ｅにおけるフレームフォーマットを示す図である。
【００２６】
このように本構成によれば、ＲＰＲ処理部１を介さずに、通常のＭＡＣフレームをＲＰＲ高速側インタフェース３と低速側インタフェース５との間で伝送することができ、ＲＰＲネットワークＲＮ上において、ＲＰＲフレームとともに非ＲＰＲフレームを伝送することが可能となる。
【００２７】
ステーション装置Ｓ１は、高速側インタフェース３、低速側インタフェース５及びＲＰＲ処理部１といった各処理ユニットが、フレーム交換部７へフレームを送信する際に付加するべき、フレーム交換部の出力ポートを指定するアドレス情報をそれぞれの処理ユニットに教える経路選択情報生成部８を備える。
図１２に、経路選択情報生成部８に記憶されるアドレステーブル８１の第１例を示す。経路選択情報生成部８は、ＭＡＣアドレス学習機能を有する。すなわち経路選択情報生成部８は、低速側インタフェース５が外部ネットワークＮＴ１からＭＡＣフレームを受信してフレーム交換部７へ送信したとき、発信元のクライアント装置のＭＡＣアドレスすなわちＭＡＣフレーム中のＳＡ（Source Address）（テーブルの第１列）やＶＬＡＮタグ等のタグ情報（第２列）を記憶する。このとき、経路選択情報生成部８は、これらＭＡＣアドレスやＶＬＡＮタグと共に、この低速側インタフェース５が接続されたフレーム交換部７の接続ポートのアドレス（テーブルの第３列）のアドレス情報を組み合わせて記憶する。
【００２８】
発信元のクライアント装置のＭＡＣアドレスは受信フレームに含まれる送信元識別情報であり、またＶＬＡＮタグ等のタグ情報もまたフレームの送信元識別情報として使用することが可能である。したがってこれらＭＡＣアドレス及びタグ情報は、特許請求の範囲に記載されたフレームの識別情報に対応する。
また、フレーム交換部７の接続ポートのアドレスはフレーム交換部７のポート識別情報と呼ぶことができる。したがって、この接続ポートのアドレスは、特許請求の範囲に記載された出力先ポート識別子に対応する。
アドレステーブル８１は、受信フレームに含まれる送信元識別情報とポート識別情報との対応を記憶する。
【００２９】
このように送信元ＭＡＣアドレス及び接続ポートのアドレスを順次記憶することによって、経路選択情報生成部８は、低速側インタフェース５へ転送すべきフレームがあるとき、このフレームを複数の低速側インタフェースユニットのうちいずれへ転送すればよいかを、転送されてきたＭＡＣフレームの宛先アドレスを検索キーとして、図１２の「発信元ＭＡＣアドレス」欄を検索し、ヒットした場合は、対応する接続ポート識別情報、すなわち図１２に示す「対応する低速側インタフェースへの宛先アドレス」欄に記憶された宛先アドレスを、送信先の接続ポートとして示すことが可能である。なお、宛先ＭＡＣアドレスの代わりにＶＬＡＮタグを検索キーとして検索することも可能であり、宛先ＭＡＣアドレスとＶＬＡＮタグの組合せを検索キーとして検索することもできる。
【００３０】
アドレステーブル８１には、各クライアント装置から送受信されるフレームが、ＲＰＲネットワークＲＮ上において、ＲＰＲフレーム及び非ＲＰＲフレームのいずれの形式で伝送されるべきであるかを識別する情報（テーブルの第４列の「ＲＰＲ」欄）を記憶する。図１２に示すテーブルの例では、ＲＰＲ欄の値が「Ｙ」であるＭＡＣアドレス（第１行目）を有するクライアント装置から送受信されるフレームがＲＰＲフレームとして伝送されるべきことを示しており、ＲＰＲフィールドの値が「Ｎ」であるＭＡＣアドレス（第２及び３行目）を有するクライアント装置から送受信されるフレームが非ＲＰＲフレームとして伝送されるべきことを示している。
【００３１】
このような「ＲＰＲ」欄の情報は、低速側インタフェース５が受信したＭＡＣフレームをＲＰＲフレームへ変換すべきか否かの要否を示す。したがって「ＲＰＲ」欄の情報は、特許請求の範囲に記載されたフレーム変換要否情報に対応する。そしてアドレステーブル８１は、受信フレームに含まれる送信元識別情報とフレーム変換要否情報との対応を記憶する。
このようにアドレステーブル８１は、受信フレームに含まれる送信元識別情報と、ポート識別情報と、フレーム変換要否情報との対応を記憶するテーブルであるから、アドレステーブル８１は、特許請求の範囲に記載されたテーブルに対応する。
【００３２】
外部ネットワークＮＴ１から受信したＭＡＣフレームの宛先のクライアント装置のＭＡＣアドレス、すなわちＭＡＣフレームのＤＡ（Destination Address）に応じてＲＰＲフレームへ変換すべきか否かの要否を示してもよい。このため経路選択情報生成部８に、変換要否判定テーブル８２を設けてもよい。
変換要否判定テーブル８２の例を図１３に示す。変換要否判定テーブル８２には、その第１列である「宛先ＭＡＣアドレス」欄に低速側インタフェース５が外部ネットワークＮＴ１からＭＡＣフレームを受信してフレーム交換部７へ送信したときにＭＡＣフレーム中のＤＡが記憶される。また変換要否判定テーブル８２には、第２列の「ＲＰＲ」欄に、フレーム変換要否情報、すなわち「宛先ＭＡＣアドレス」欄に示されるクライアント装置から送受信されるフレームが、ＲＰＲネットワークＲＮ上において、ＲＰＲフレーム及び非ＲＰＲフレームのいずれの形式で伝送されるべきであるかを識別する情報が記憶される。つまり変換要否判定テーブル８２は、受信フレームに含まれる送信先識別情報とフレーム変換要否情報との対応を記憶する。
【００３３】
ＲＰＲ欄に記憶されるフレーム変換要否情報は、経路選択情報生成部８が所定のルールに基づいて各クライアント装置毎に自動的に決定することができる。例えばＶＬＡＮタグ情報に応じてＲＰＲフレーム化の是非を定めてもよい。
また、経路選択情報生成部８は、新たに学習したＭＡＣアドレスに対して、一律にデフォルトの値をフレーム変換要否情報に設定し、後にオペレータにより又は後述するフレーム流量制限部９（図２０参照）の動作によって変更してもよい。
【００３４】
図１４は、図７に示す高速側インタフェース３の構成例を示すブロック図である。図示するとおり、高速側インタフェース３は、フレーム交換部７から転送されたフレームを、優先度順にクラス分けするクラス判定部３３と、それぞれのクラスへ分けられたフレームをクラス別に保持するキュー３５ａ〜３５ｘと、各キュー３５ａ〜３５ｘからフレームが溢れないように各キュー３５ａ〜３５ｘへ入力されるフレームを破棄するポリサ３４ａ〜３４ｘと、各キュー３５ａ〜３５ｘに保持されたフレームの中からそれぞれのクラスの優先度に応じて、当該高速側インタフェース３に対応するリングレットへ送信すべきフレームを順次選択するスケジューラ３８と、を備える。
【００３５】
また、高速側インタフェース３は、ＭＡＣフレーム又はＲＰＲフレームを、光通信網内で伝送されるフレームへフレーム化するフレーム化処理と、また光通信網内で伝送されるフレームをＭＡＣフレーム又はＲＰＲフレームへ非フレーム化する非フレーム化処理とを行うフレーマ３９と、電気的信号と光信号との間の変換を行う光・電気インタフェース部４０と、を備える。
さらに、高速側インタフェース３は、当該高速側インタフェース３に対応するリングレットから受信したフレームを、優先度順にクラス分けするクラス判定部４２と、これらクラス分けされたフレームのうち優先度が高いフレームをクラス別に保持する優先キュー４４ａ〜４４ｘと、優先度が低いフレームをクラス別に保持するキュー４６ａ〜４６ｘと、各優先キュー４４ａ〜４４ｘからフレームが溢れないように各キュー４４ａ〜４４ｘへ入力されるフレームを破棄するポリサ４３ａ〜４３ｘと、各キュー４６ａ〜４６ｘからフレームが溢れないように各キュー４６ａ〜４６ｘへ入力されるフレームを破棄するポリサ４５ａ〜４５ｘと、各キュー４４ａ〜４４ｘ及び４６ａ〜４６ｘに保持されたフレームの中からそれぞれのクラスの優先度に応じて、フレーム交換部７へ転送すべきフレームを順次選択するスケジューラ４７と、を備える。
【００３６】
さらに高速側インタフェース３は、フレーム交換部７を経由して低速側インタフェース５から転送されたＭＡＣフレーム（図９の（Ａ）参照）からフレーム交換部内経路選択用ヘッダとＰＡＤデータを取り除いて元のＭＡＣフレーム（図８の（Ａ）参照）へ逆変換し、またはフレーム交換部７を経由してＲＰＲ処理部１から転送されたＲＰＲフレーム（図９の（Ｂ）参照）からフレーム交換部内経路選択用ヘッダとＰＡＤデータを取り除いて元のＲＰＲフレーム（図８の（Ｂ）参照）へ逆変換するフレーム逆変換部３１と、これらフレーム交換部内経路選択用ヘッダに含まれる優先度情報を読み出す優先度情報読み出し部３２を備える。
また高速側インタフェース３は、スケジューラ４７からフレーム交換部７へ送信するフレームに対して、フレーム交換部内経路選択用ヘッダとＰＡＤデータを付加するフレーム変換部４８を備える。
【００３７】
優先度情報読み出し部３２から読み出された優先度情報は、クラス判定部３３へ与えられクラス判定部３３によるクラス判定に利用される。
後述するように、ＲＰＲ処理部１のフレーム変換部２７（図１７参照）がＲＰＲフレームへ与えるフレーム交換部内経路選択用ヘッダに含まれる優先度情報には、低速側インタフェース５から高速側インタフェース３へ転送する非ＲＰＲフレームに対して低速側インタフェース５のフレーム変換部６３（図１５参照）が与えるフレーム交換部内経路選択用ヘッダに含まれる優先度情報よりも、高い優先度が設定される。
したがってクラス判定部３３は、常に、低速側インタフェース５から高速側インタフェース３へ転送された非ＲＰＲフレームよりも、ＲＰＲ処理部１から高速側インタフェース３へ転送されたＲＰＲフレームの方を優先度が高いクラスへクラス分けする。このため、スケジューラ３８は、常にＲＰＲフレームを優先してリングレットへ送信する。
【００３８】
高速側インタフェース３は、対応するリングレットから受信したフレームの宛先ＭＡＣアドレス、発信元ＭＡＣアドレス及びＶＬＡＮタグを読み出して経路選択情報生成部８へ与えるヘッダ情報読み出し部４１を備える。
経路選択情報生成部８は、ヘッダ情報読み出し部４１が読み出した宛先ＭＡＣアドレスを受信すると、宛先ＭＡＣアドレスを検索キーに用いて図１２に示すアドレステーブル８１内の「発信元ＭＡＣアドレス」欄を検索し、ヒットしたレコードの「対応する低速側インタフェースへの宛先アドレス」欄に記憶された接続ポートアドレスを取得する。このとき宛先ＭＡＣアドレスの代わりにＶＬＡＮタグ情報を検索キーに用いて接続ポートアドレスを取得してもよい。
【００３９】
さらに経路選択情報生成部８は、ヘッダ情報読み出し部４１が読み出した宛先ＭＡＣアドレスを検索キーに用いて図１２に示すアドレステーブル８１内の「発信元ＭＡＣアドレス」欄を検索し、ヒットしたレコードの「ＲＰＲ」欄に記憶されたフレーム変換要否情報を取得することにより、高速側インタフェース３に対応するリングレットから受信したフレームがＲＰＲフレーム及び非ＲＰＲフレームのいずれであるかを判定する。
または、経路選択情報生成部８は、ヘッダ情報読み出し部４１が読み出した発信元ＭＡＣアドレスを検索キーに用いて図１３に示す変換要否判定テーブル８２内のあ「宛先ＭＡＣアドレス」欄を検索し、ヒットしたレコードの「ＲＰＲ」欄に記憶されたフレーム変換要否情報を取得することにより、高速側インタフェース３に対応するリングレットから受信したフレームがＲＰＲフレーム及び非ＲＰＲフレームのいずれであるかを判定する。
【００４０】
経路選択情報生成部８は、高速側インタフェース３に対応するリングレットから受信されたフレームがＲＰＲフレーム及び非ＲＰＲフレームのいずれであるかを判定すると、その旨を示すＲＰＲ設定情報をクラス判定部４２へ与える。クラス判定部４２は、ＲＰＲ設定情報に基づいて受信したフレームをクラス分けし、ＲＰＲフレームを優先キュー４４ａ〜４４ｘへ送り、非ＲＰＲフレームをキュー４６ａ〜４６ｘへと送る。
【００４１】
経路選択情報生成部８は、高速側インタフェース３に対応するリングレットから受信したフレームが非ＲＰＲフレームである場合には、この非ＲＰＲフレームに対してフレーム変換部４８が付加するフレーム交換部内経路選択用ヘッダへ含める宛先アドレスとして、ヘッダ情報読み出し部４１が読み出した宛先ＭＡＣアドレスやＶＬＡＮタグ情報に基づいて得た低速側インタフェース５への宛先アドレス（図１２の第３列）をフレーム変換部４８へ与える。
その後、この非ＲＰＲフレームがフレーム交換部７へ出力されると、フレーム交換部７が、フレーム交換部内経路選択用ヘッダに含まれた宛先アドレスで示される接続ポートへこの非ＲＰＲフレームを転送することによって、非ＲＰＲフレームはその宛先ＭＡＣアドレスが示すクライアント装置と送受信する低速側インタフェース５へ転送される。
【００４２】
一方で、高速側インタフェース３に対応するリングレットから受信したフレームがＲＰＲフレームであると判定すると、予め既知のＲＰＲ処理部１への宛先アドレスをフレーム変換部４８へ与える。
その後、このＲＰＲフレームがフレーム交換部７へ出力されると、フレーム交換部７が、フレーム交換部内経路選択用ヘッダに含まれた宛先アドレスで示される接続ポートへこのＲＰＲフレームを転送することによって、ＲＰＲフレームはＲＰＲ処理部１へ転送される。
【００４３】
フレーム変換部４８は、フレーム交換部内経路選択用ヘッダをフレームに付加する際に、このヘッダ内に優先度情報を含めてもよい。ここで、高速側インタフェース３から低速側インタフェース５へ非ＲＰＲフレームを送信しても、ＲＰＲ処理部１によってＲＰＲネットワークからドロップされたフレームが優先して低速側インタフェース５へ受信されるようにするために、フレーム変換部４８が非ＲＰＲフレームに対して与える優先度情報の優先度は、後述するＲＰＲ処理部１のフレーム変換部２７（図１７参照）が、ＲＰＲ処理部１から低速側インタフェース５へ出力される非ＲＰＲフレームに対して与える優先度情報の優先度よりも低くなるように設定される。
【００４４】
図１５は、図７に示す低速側インタフェース５の第１構成例を示すブロック図である。図示するとおり、低速側インタフェース５は図１４を参照して説明した高速側インタフェース３と同様の構成を有しており、フレーム交換部７を経由して高速側インタフェース３又はＲＰＲ処理部１から転送されたＭＡＣフレーム（図９の（Ａ）参照）からフレーム交換部内経路選択用ヘッダとＰＡＤデータを取り除いて元のＭＡＣフレーム（図８の（Ａ）参照）へ逆変換するフレーム逆変換部５１と、これらフレーム交換部内経路選択用ヘッダに含まれる優先度情報を読み出す優先度情報読み出し部５２と、これら逆変換されたフレームを上記優先度情報が示す優先度順にクラス分けするクラス判定部５３と、それぞれのクラスへ分けられたフレームをクラス別に保持するキュー５５ａ〜５５ｘと、各キュー３５ａ〜５５ｘからフレームが溢れないように各キュー５５ａ〜５５ｘへ入力されるフレームを破棄するポリサ５４ａ〜５４ｘと、各キュー５５ａ〜５５ｘに保持されたフレームの中からそれぞれのクラスの優先度に応じて、ＲＰＲネットワークＲＮへ送信すべきフレームを順次選択するスケジューラ５６と、を備える。
【００４５】
また、低速側インタフェース５は、光通信網内で伝送されるフレームへＭＡＣフレームをフレーム化するフレーム化処理及び光通信網内で伝送されるフレームをＭＡＣフレームへ非フレーム化する非フレーム化処理を行うフレーマ５７と、電気的信号と光信号との間の変換を行う光・電気インタフェース部５８と、を備える。
さらに、低速側インタフェース５は、外部ネットワークＮＴ１から受信したフレームを、優先度順にクラス分けするクラス判定部５９と、これらクラス分けされたフレームをクラス別に保持するキュー６１ａ〜６１ｘと、各キュー６１ａ〜６１ｘからフレームが溢れないように各キュー６１ａ〜６１ｘへ入力されるフレームを破棄するポリサ６０ａ〜６０ｘと、各キュー６１ａ〜６１ｘに保持されたフレームの中からそれぞれのクラスの優先度に応じて、フレーム交換部７へ転送すべきフレームを順次選択するスケジューラ６２と、を備える。
【００４６】
さらに低速側インタフェース５は、スケジューラ６２からフレーム交換部７へ送信するフレームに対して、フレーム交換部内経路選択用ヘッダとＰＡＤデータを付加するフレーム変換部６３を備える。
ここで、図１０に示す低速側インタフェース５ｂ、すなわちＲＰＲフレームへカプセル化されるＭＡＣフレームを取り扱う低速側インタフェース５ｂのフレーム変換部６３は、ＲＰＲ処理部１に接続されたフレーム交換部７の既知の接続ポートの宛先アドレスを、フレーム交換部内経路選択用ヘッダ内に与える。
その後、このＭＡＣフレームがフレーム交換部７へ出力されると、フレーム交換部７が、フレーム交換部内経路選択用ヘッダに含まれた宛先アドレスで示される接続ポートへこのＭＡＣフレームを転送することによって、ＭＡＣフレームはＲＰＲ処理部１へ転送される。
【００４７】
また、図１０に示す低速側インタフェース５ａ、すなわち非ＲＰＲフレームのままＲＰＲネットワークＲＮ上で伝送されるＭＡＣフレームを取り扱う低速側インタフェース５ａのフレーム変換部６３は、高速側インタフェース３に接続されたフレーム交換部７の既知の接続ポートの宛先アドレスを、フレーム交換部内経路選択用ヘッダ内に与える。
その後、このＭＡＣフレームがフレーム交換部７へ出力されると、フレーム交換部７が、フレーム交換部内経路選択用ヘッダに含まれた宛先アドレスで示される接続ポートへこのＭＡＣフレームを転送することによって、ＭＡＣフレームは高速側インタフェース３へ転送される。
ここで低速側インタフェース５ａのフレーム変換部６３は、フレーム交換部内経路選択用ヘッダに優先度情報を与える際に、後述するＲＰＲ処理部１のフレーム変換部２７（図１７参照）がＲＰＲフレームへ与える優先度情報の優先度よりも、低い優先度を設定する。このように優先度情報を設定することにより、上述の図１４に示す高速側インタフェース３のクラス判定部３３は、低速側インタフェース５ａから転送されたＭＡＣフレームよりも、ＲＰＲ処理部１から転送されたＲＰＲフレームをより優先度の高いキューへ入力することになる。
【００４８】
また上述したとおり、高速側インタフェース３のフレーム変換部４８が非ＲＰＲフレームに対して与える優先度情報の優先度は、後述するＲＰＲ処理部１のフレーム変換部２７（図１７参照）が、ＲＰＲ処理部１から低速側インタフェース５へ出力される非ＲＰＲフレームに対して与える優先度情報の優先度よりも低くなるように予め設定される。このため高速側インタフェース３から低速側インタフェース５へ非ＲＰＲフレームが転送されても、低速側インタフェース５のクラス判定部５３は、ＲＰＲ処理部１によってＲＰＲネットワークからドロップされたフレームをより優先度が高いキューへ入力する。
【００４９】
図１６は、図７に示すＲＰＲ処理部１の構成例を示すブロック図である。図示するとおり、ＲＰＲ処理部１は、フレーム交換部７とのフレームの送受信を行うフレーム交換部インタフェース１１と、フレーム交換部インタフェース１１が受信したフレームに対するＲＰＲ処理を行うＲＰＲ機能ブロック１００とを備える。
ＲＰＲ機能ブロック１００は、フレーム交換部インタフェース１１が受信したフレームがＲＲＰフレーム及び非ＲＰＲのいずれであるかを判定するフレーム種類判定部１０１と、非ＲＰＲフレームであると判定されたフレームをＲＰＲフレームへカプセル化するカプセル化処理部１０２と、ＲＰＲフレームであると判定されたフレームが本ステーション装置Ｓ１にて外部ネットワークＮＴ１へドロップ（転送）すべきか否かを判定するフィルタ１０３と、ドロップすべきと判定されたフレームを非ＲＰＲフレームへデカプセル化するデカプセル化処理部１０４と、を備えて構成される。
フレーム種類判定部１０１は、例えばフレーム交換部インタフェース１１が受信したフレームが既知の形式のＲＰＲヘッダを有しているか否かを判定することによって、当該フレームがＲＲＰフレーム及び非ＲＰＲフレームのいずれであるかを判定することとしてよい。
【００５０】
図１７は、フレーム交換部インタフェース１１の構成例を示す図である。図示するとおり、フレーム交換部インタフェース１１は、フレーム交換部７を経由して高速側インタフェース３から転送されたＲＰＲフレーム（図９の（Ｂ）参照）からフレーム交換部内経路選択用ヘッダとＰＡＤデータを取り除いて元のＲＰＲフレーム（図８の（Ｂ）参照）へ逆変換し、またはフレーム交換部７を経由して低速側インタフェース５から転送されたＭＡＣフレーム（図９の（Ａ）参照）から元のＭＡＣフレーム（図８の（Ａ）参照）へ逆変換するフレーム逆変換部１２と、これら逆変換されたフレームを優先度順にクラス分けするクラス判定部１４と、それぞれのクラスへ分けられたフレームをクラス別に保持するキュー１６ａ〜１６ｘと、各キュー１６ａ〜１６ｘからフレームが溢れないように各キュー１６ａ〜１６ｘへ入力されるフレームを破棄するポリサ１５ａ〜１５ｘと、各キュー１６ａ〜１６ｘに保持されたフレームの中からそれぞれのクラスの優先度に応じて、ＲＰＲネットワークＲＮへ送信すべきフレームを順次選択するスケジューラ１７と、を備える。
【００５１】
さらに、フレーム交換部インタフェース１１は、フィルタ１０３がドロップしなかったＲＰＲフレームを高速側インタフェース３を介してリングレットから送信するまでの間保持するためのトランジットキュー（ＴＱ）１８と、カプセル化処理部１０２によりカプセル化されたＲＰＲフレームを優先度順にクラス分けするクラス判定部１９と、これらクラス分けされたフレームをクラス別に保持するキュー２１ａ〜２１ｘと、各キュー２１ａ〜２１ｘからフレームが溢れないように各キュー２１ａ〜２１ｘへ入力されるフレームを破棄するポリサ２０ａ〜２０ｘと、デカプセル化処理部１０４によりデカプセル化された非ＲＰＲフレームを保持するキュー２５と、キュー２５からフレームが溢れないようにキュー２５へ入力されるフレームを破棄するポリサ２４と、トランジットキュー１８、キュー２１ａ〜２１ｘ及びキュー２５に保持されたフレームの中からフレーム交換部７へ転送すべきフレームを順次選択するスケジューラ２６と、を備える。
【００５２】
また、フレーム交換部インタフェース１１は、スケジューラ２６が各キュー１８、２１ａ〜２１ｘ及び２５から取り出したフレームに対して、フレーム交換部内経路選択用ヘッダ及びＰＡＤデータを付加するフレーム変換部２７と、デカプセル化処理部１０４から出力されたドロップされた非ＲＰＲフレームの宛先ＭＡＣアドレス、発信元ＭＡＣアドレス及びＶＬＡＮタグを読み出して経路選択情報生成部８へ与えるヘッダ情報読み出し部２３と、を備える。
【００５３】
経路選択情報生成部８は、ヘッダ情報読み出し部２３が読み出した宛先ＭＡＣアドレスを受信すると、宛先ＭＡＣアドレスを検索キーに用いて図１２に示すアドレステーブル８１内の「発信元ＭＡＣアドレス」欄を検索し、ヒットしたレコードの「対応する低速側インタフェースへの宛先アドレス」欄に記憶された接続ポートアドレスを取得する。そして取得した接続ポートアドレスをフレーム変換部２７へ与える。このとき宛先ＭＡＣアドレスの代わりにＶＬＡＮタグ情報を検索キーに用いて接続ポートアドレスを取得してもよい。
【００５４】
フレーム変換部２７は、キュー２５から取り出された非ＲＲＰフレームをスケジューラ２６から受信すると、このフレームに付加するフレーム交換部内経路選択用ヘッダ内の宛先アドレスとして経路選択情報生成部８から受信した接続ポートアドレスを与える。
その後、この非ＲＰＲフレームがフレーム交換部７へ出力されると、フレーム交換部７が、フレーム交換部内経路選択用ヘッダに含まれた宛先アドレスで示される接続ポートへこの非ＲＰＲフレームを転送することによって、非ＲＰＲフレームはその宛先ＭＡＣアドレスが示すクライアント装置と送受信する低速側インタフェース５へ転送される。
【００５５】
フレーム変換部２７は、スケジューラ２６が出力したフレームがトランジットキュー１８又はキュー２１ａ〜２１から取り出したＲＲＰフレームであるときは、このフレームに付加するフレーム交換部内経路選択用ヘッダ内の宛先アドレスとして、高速側インタフェース３に接続されたフレーム交換部７の既知の接続ポートアドレスを与える。
その後、このＲＰＲフレームがフレーム交換部７へ出力されると、フレーム交換部７が、フレーム交換部内経路選択用ヘッダに含まれた宛先アドレスで示される接続ポートへこのＲＰＲフレームを転送することによって、ＲＰＲフレームは高速側インタフェース３へ転送される。
【００５６】
ここで、上述したとおりフレーム変換部２７は、ＲＰＲフレームに付加するフレーム交換部内経路選択用ヘッダに優先度情報を与える際に、低速側インタフェース５ａのフレーム変換部６３が非ＲＰＲフレームへ与える優先度情報の優先度よりも、高い優先度を設定する。
また、フレーム変換部２７は、非ＲＰＲフレームに付加するフレーム交換部内経路選択用ヘッダに優先度情報を与える際に、高速側インタフェース３のフレーム変換部４８が非ＲＰＲフレームに対して与える優先度情報の優先度よりも高い優先度を設定する。
【００５７】
図１８は、図７に示す低速側インタフェース５の第２構成例を示すブロック図である。図１０を参照して説明した構成では、すなわちＲＰＲフレーム化されるＭＡＣフレームを取り扱う低速側インタフェース５ｂと、ＲＰＲフレーム化されないＭＡＣフレームを取り扱う低速側インタフェース５ａを、別々のユニットとして構成とした。しかし、低速側インタフェース５において、ＭＡＣフレームに含まれるＭＡＣアドレスやＶＬＡＮタグに応じて当該ＭＡＣフレームをＲＰＲフレーム化すべきか否かを判定することによって、ＲＰＲフレーム化されるＭＡＣフレームとＲＰＲフレーム化されないＭＡＣフレームを同じ低速側インタフェース５で取り扱うことが可能となる。
【００５８】
このため図１８に示す低速側インタフェース５は、外部ネットワークＮＴ１から受信したフレームの宛先ＭＡＣアドレス、発信元ＭＡＣアドレス及びＶＬＡＮタグを読み出して経路選択情報生成部８へ与えるヘッダ情報読み出し部６４を備える。
経路選択情報生成部８は、発信元ＭＡＣアドレスを検索キーに用いて図１２に示すアドレステーブル８１内の「発信元ＭＡＣアドレス」欄を検索し、ヒットしたレコードの「ＲＰＲ」欄に記憶されたフレーム変換要否情報を取得する。または経路選択情報生成部８は、ＶＬＡＮタグを検索キーに用いてアドレステーブル８１内の「ＶＬＡＮタグ」欄を検索し、ヒットしたレコードの「ＲＰＲ」欄に記憶されたフレーム変換要否情報を取得する。このとき発信元ＭＡＣアドレスとＶＬＡＮタグを同時に検索キーに用いてもよい。
あるいは、経路選択情報生成部８は、宛先ＭＡＣアドレスを検索キーに用いて交換要否判定テーブル８２内の「宛先ＭＡＣアドレス」欄を検索し、ヒットしたレコードの「ＲＰＲ」欄に記憶されたフレーム変換要否情報を取得する。そして取得したフレーム変換要否情報に基づいて、当該ＭＡＣフレームをＲＰＲフレームへ変換すべきか否かを判定する。
【００５９】
フレーム変換部６３は、フレーム交換部内経路選択用ヘッダを与えるフレームがＲＰＲ化されるべきであると経路選択情報生成部８によって判定された場合には、フレーム交換部内経路選択用ヘッダへ含める宛先アドレスとして、ＲＰＲ処理部１への宛先アドレスを与える。
その後、このフレームがフレーム交換部７へ出力されると、フレーム交換部７が、フレーム交換部内経路選択用ヘッダに含まれた宛先アドレスで示される接続ポートへこのフレームを転送することによって、フレームはＲＰＲ処理部１へ転送される。
【００６０】
一方で、フレーム変換部６３は、フレーム交換部内経路選択用ヘッダを与えるフレームがＲＰＲ化されるべきでないと経路選択情報生成部８によって判定された場合には、フレーム交換部内経路選択用ヘッダへ含める宛先アドレスとして、高速側インタフェース３への宛先アドレスを与える。このときフレーム変換部６３は、フレーム交換部内経路選択用ヘッダへ含める優先度情報に、ＲＰＲ処理部１のフレーム変換部２７がＲＰＲフレームに与える優先度情報よりも低い優先度を与える。
【００６１】
その後、このフレームがフレーム交換部７へ出力されると、フレーム交換部７が、フレーム交換部内経路選択用ヘッダに含まれた宛先アドレスで示される接続ポートへこのフレームを転送することによって、フレームは高速側インタフェース３へ転送される。
【００６２】
図１９は、図１８に示す低速側インタフェース５により実現されるフレームの経路を示す図である。
低速側インタフェース５は、ＲＰＲ化すべきフレームをフレーム交換部７へ出力するときに、ＲＰＲ処理部が接続される接続ポートを宛先アドレスとして示すことにより、ＭＡＣフレームはフレーム交換部７内の経路９１１を通ってＲＰＲ処理部１へ転送され、ＲＰＲフレーム化される。そして、ＲＰＲ処理部１がフレーム交換部７へフレームを出力するときに、高速側インタフェース３が接続された接続ポートを宛先アドレスとして示すことにより、経路９１２を通ってＲＰＲフレームが高速側インタフェース３へ転送され、対応するリングレットへ送信される。
また高速側インタフェース３は、ＲＰＲフレームを受信すると、フレーム交換部７へフレームを出力するときに、ＲＰＲ処理部１が接続される接続ポートを宛先アドレスとして示す。これによりＲＰＲフレームが経路９１３を通ってＲＰＲ処理部１へ転送され、ここで非ＲＰＲフレーム化される。そして、ＲＰＲ処理部１がフレーム交換部７へＭＡＣフレームを出力するときに、低速側インタフェース５ｂが接続された接続ポートを宛先アドレスとして示すことにより、経路９１４を通ってＭＡＣフレームが低速側インタフェース５へ転送される。
【００６３】
また、低速側インタフェース５は、ＲＰＲフレーム化されるべきでないフレームをフレーム交換部７へ出力するときに、高速側インタフェース３が接続される接続ポートを宛先アドレスとして示すことにより、ＭＡＣフレームは経路９１５を通って高速側インタフェース３へ直接転送され、ＲＰＲフレーム化されずにリングレットへ送信される。
また、高速側インタフェース３は、対応するリングレットから非ＲＰＲフレームを受信すると、フレーム交換部７へフレームを出力するときに、低速側インタフェース５が接続される接続ポートを宛先アドレスとして示す。これにより非ＲＰＲフレームは経路９０６を通って低速側インタフェース５へ直接転送される。
図１９の各部Ａ〜Ｅにおけるフレームフォーマットは、図１１の（Ａ）〜（Ｅ）に示されたフレームフォーマットと同様である。
【００６４】
図２０は本発明によるステーション装置の第２実施例の構成を示すブロック図であり、図２１は図２０に示す高速側インタフェース３の第１構成例を示すブロック図であり、図２２は図２０に示す低速側インタフェース５の構成例を示すブロック図であり、図２３は図２０に示すＲＰＲ処理部１の構成例を示すブロック図であり、図２４は図２３に示すフレーム交換部インタフェース１１の構成例を示す図である。
本実施例では、フレーム交換部７によって相互に接続される各ユニット、すなわちＲＰＲ処理部１、高速側インタフェース３及び低速側インタフェース５は、フレーム交換部７を介してフレームを送信する相手側のユニットがフレーム交換部７から受信したフレームを蓄えるキューの蓄積状況に応じて、この相手側のユニットへ送信するフレームの流量を制限する。
【００６５】
このため、図２０に示すステーション装置Ｓ１は各ユニットがフレーム交換部７へ送信するフレームの流量を制限する処理を行うフレーム流量制限部９を備え、図２１に示す高速側インタフェース３はキュー３５ａ〜３５ｘにおけるフレームの蓄積状況をフレーム流量制限部９へ通知するキュー状態通知部４９を備え、図２２に示す低速側インタフェース５はキュー５５ａ〜５５ｘにおけるフレームの蓄積状況をフレーム流量制限部９へ通知するキュー状態通知部６５を備え、図２３及び図２４に示すＲＰＲ処理部１は、キュー１６ａ〜１６ｘにおけるフレームの蓄積状況をフレーム流量制限部９へ通知するキュー状態通知部２８を備える。
【００６６】
フレーム流量制限部９は、これらのキュー状態通知部２８、４９及び６５が通知するキューの状況に応じて、ＲＰＲ処理部１、高速側インタフェース３及び低速側インタフェース５からフレーム交換部７へフレームを送信するスケジューラ２７、４８及び６２による、フレームの送信頻度を制限することによって、フレームの流量を制限する。
【００６７】
例えば具体的には、高速側インタフェース３のキュー情報通知部４９がフレーム流量制限部９へ、キュー３５ａ〜３５ｘが満杯に近いことを知らせると、フレーム流量制限部９は、ＲＰＲ処理部１のスケジューラ２６及び低速側インタフェース５のスケジューラ６２が高速側インタフェース３へフレームを送信する頻度を制限する。
また例えば、ＲＰＲ処理部１のキュー情報通知部２８がフレーム流量制限部９へ、キュー１６ａ〜１６ｘが満杯に近いことを知らせると、フレーム流量制限部９は、高速側インタフェース３のスケジューラ４７及び低速側インタフェース５のスケジューラ６２がＲＰＲ処理部１へフレームを送信する頻度を制限する。
さらに例えば、低速側インタフェース５のキュー情報通知部６５がフレーム流量制限部９へ、キュー５５ａ〜５５ｘが満杯に近いことを知らせると、フレーム流量制限部９は、ＲＰＲ処理部１のスケジューラ２６及び高速側インタフェース３のスケジューラ４７が低速側インタフェース５へフレームを送信する頻度を制限する。
【００６８】
フレーム流量制限部９は、ＲＰＲ処理部１、高速側インタフェース３及び低速側インタフェース５の各スケジューラ２６、４７及び６２から送信されるフレーム流量を制限する際に、ＲＰＲ処理の対象となるフレームと、ＲＰＲ処理の対象とならないフレームと、の間で制限の程度を異ならせることにより、ＲＰＲ処理の対象となるフレームが各スケジューラ２６、４７及び６２から優先して送信されるようにしてもよい。
【００６９】
すなわち例えば、高速側インタフェース３のスケジューラ４７から送信されるフレームのうち、ＲＰＲ処理部１へ転送されるＲＰＲフレームは、低速側インタフェース５へ転送される非ＲＰＲフレームよりも優先して送信される。
また例えば、低速側インタフェース５のスケジューラ６２から送信されるフレームのうち、ＲＰＲ処理部１へ転送されるＲＰＲ化されるＭＡＣフレームは、高速側インタフェース３へ転送されるＲＰＲ化されないＭＡＣフレームよりも優先して送信される。
また例えば、ＲＰＲ処理部１のスケジューラ２６から高速側インタフェース３へ送信されるＲＰＲフレームは、低速側インタフェース５のスケジューラ６２から高速側インタフェース３へ送信される非ＲＰＲフレームよりも優先して送信され、ＲＰＲ処理部１のスケジューラ２６から低速側インタフェース５へ送信されるＲＰＲフレームからデカプセル化されたＭＡＣフレームは、高速側インタフェース３のスケジューラ４７から低速側インタフェース５へ送信されるＭＡＣフレームよりも優先して送信される。
【００７０】
このようにＲＰＲ処理の対象となるフレームを優先して処理することにより、伝送帯域をＲＰＲフレームの伝送帯域と非ＲＰＲフレームの伝送帯域を混在させてＲＰＲネットワークＲＮ回線を使用したときに、ＲＰＲネットワークＲＮ上で伝送されるフレーム量が多くなっても、ＲＰＲフレームが優先して伝送されるため、ＲＰＲプロトコルに必要な制御フレームが破棄されることを防止することができる。
【００７１】
また、図２０に示すフレーム流量制限部９は、高速側インタフェース３のキュー３５ａ〜３５ｘにおけるフレームの蓄積状態に応じてアドレステーブル８１の内容を編集することによって、ステーション装置Ｓ１でＲＰＲネットワークＲＮへアドされる（すなわち新たにＲＰＲフレーム化される）フレーム数を増加又は減少させることができる。
すなわち本実施例では、ＲＰＲ処理の対象とならないフレームよりもＲＰＲ処理の対象となるフレームが優先して処理されるため、フレーム伝送量が大きくなると非ＲＰＲフレームをリングレットに送信することができなくなる。
そこでフレーム流量制限部９は、図１２及び図１３に例示されるアドレステーブル８１のＲＰＲフィールドに格納される値を変更することによって、ＲＰＲ処理部１でＲＰＲフレーム化されるフレーム数と、非ＲＰＲフレームのまま高速側インタフェース３からＲＰＲネットワークＲＮへ送信されるフレーム数の割合を変更する。これによってＲＰＲネットワークＲＮ上を伝送されるＲＰＲフレーム数を低減し、非ＲＰＲフレームが伝送される機会を増加させることができる。
【００７２】
図２５は、図２０に示す高速側インタフェース３の第２構成例を示すブロック図である。本構成例では、対応するリングレットから受信したフレームがＲＲＰフレーム及び非ＲＰＲフレームのいずれであるかを判定するフレーム種類判定部３０１を備え、ＲＰＲフレームと非ＲＰＲフレームとは別に、それぞれ専用のクラス判定部３０２及び３０３でクラス分けされる。
フレーム種類判定部３０１、例えばリングレットから受信したフレームが既知の形式のＲＰＲヘッダを有しているか否かを判定することによって、当該フレームがＲＲＰフレーム及び非ＲＰＲのいずれであるかを判定することとしてよい。
【００７３】
実際のステーション装置Ｓ１は、安定性を向上させるために、冗長性を持たせて構成される。図２６はフレーム交換部７に冗長性を持たせた構成例を示し、図２７は更にＲＰＲ処理部１に冗長性を持たせた構成例を示すブロック図である。図２６及び図２７において経路選択情報生成部８及びフレーム流量制限部９の記載は省略した。
【００７４】
図２８は、ＲＰＲ処理部１、高速側インタフェース３及び低速側インタフェース５を、それぞれステーション装置Ｓ１のバックボード配線７２へ接続する各コネクタを、ピンコンパチブルに構成した場合における図２０に示すステーション装置Ｓ１の概略構成図である。
図２９は、図２８に示す高速側インタフェース３のフレーム交換部インタフェース３００の構成例を示すブロック図であり、図３０は、図２８に示す低速側インタフェース５のフレーム交換部インタフェース５００の構成例を示すブロック図である。図２８〜図３０において、図２０〜図２５に記載された構成要素と同じ構成要素には同じ参照符号を付しており、説明を書略する。
【００７５】
図２８に示すとおり、ステーション装置Ｓ１のバックボード配線（ＢＷＢ）７２は、ボード側コネクタ７３ａ〜７３ｃを備え、フレーム交換部７の各接続ポートと各コネクタ７３ａ〜７３ｃとの間、経路選択情報生成部８と各コネクタ７３ａ〜７３ｃとの間、フレーム流量制限部９と各コネクタ７３ａ〜７３ｃとの間、をそれぞれ電気的に接続する。
またＲＰＲ処理部１、高速側インタフェース３及び低速側インタフェース５は、ボード側コネクタ７３ａ〜７３ｃに挿入される回路ボードとして構成される。そしてそれぞれボード側コネクタ７３ａ〜７３ｃに接続されるボード側コネクタを有している。
ここで、ＲＰＲ処理部１、高速側インタフェース３及び低速側インタフェース５のボード側コネクタは、ピンコンパチブル、すなわち、同じ形状かつ同じピン配置を有するように構成されている。
すなわち、ＲＰＲ処理部１とフレーム交換部７との間でフレーム伝送に使用するフレーム伝送用回線１１１ｃ及び１１１ｄと、高速側インタフェース３とフレーム交換部７との間でフレーム伝送に使用するフレーム伝送用回線３０１ｃ及び３０１ｄと、低速側インタフェース５とフレーム交換部７との間でフレーム伝送に使用するフレーム伝送用回線５０１ｃ及び５０１ｄは、コネクタ中の同じ位置に配置されたピンに接続されるように構成される。
同様に、ＲＰＲ処理部１と経路選択情報生成部８との間、高速側インタフェース３と経路選択情報生成部８との間、低速側インタフェース５と経路選択情報生成部８との間で、制御信号が送受信されるそれぞれの制御回線１１１ａ、３０１ａ及び５０１ａもまたコネクタ中の同じ位置に配置されたピンに接続されるように構成され、ＲＰＲ処理部１とフレーム流量制限部９との間、高速側インタフェース３とフレーム流量制限部９との間、低速側インタフェース５とフレーム流量制限部９との間で、制御信号が送受信されるそれぞれの制御回線１１１ｂ、３０１ｂ及び５０１ｂもまたコネクタ中の同じ位置に配置されたピンに接続されるように構成される。
【００７６】
このように、ＲＰＲ処理部１、高速側インタフェース３及び低速側インタフェース５の各ボードをピンコンパチブルに構成し、ステーション装置Ｓ１のバックボード配線７２のコネクタに相互に入れ替え可能に構成することによって、ステーション装置Ｓ１へ搭載するＲＰＲ処理部１、高速側インタフェース３及び低速側インタフェース５の数量を容易に変更することが可能となる。
例えば、ＲＰＲ処理部１であるＲＰＲボードをステーション装置Ｓ１に複数枚搭載し、ステーション装置Ｓ１におけるＲＰＲ処理能力を拡張してもよい。この際に、高速インタフェース３がＲＰＲネットワークＲＮ上で使用する伝送帯域を分割し、それぞれ分割した伝送帯域毎にＲＰＲボードを割り当てて運用してもよい。
またＲＰＲボードを増設することにより、外部ネットワークＮＴ１においてＲＰＲプロトコルを採用したとしても、ＲＰＲ処理量の増加に対応することができる。
【００７７】
以上、本発明を特にその好ましい実施の形態を参照して詳細に説明したが、本発明の容易な理解のために、本発明の具体的な形態を以下に付記する。
【００７８】
（付記１）
リングネットワーク上に配置され、該リングネットワークと他のネットワークとの間でフレームを中継するフレーム転送装置であって、
前記リングネットワークとのフレームの送受信処理を行う第１インタフェース部と、
前記他のネットワークとのフレームの送受信処理を行う第２インタフェース部と、
前記他のネットワークからの第１形式のフレームを第２形式のフレームに変換する処理を行う処理部と、
前記第１インタフェース部、前記第２インタフェース部及び前記処理部がそれぞれ接続される複数のポートを有し、これら各ポートの間でフレームを交換するフレーム交換部と、
フレームの識別情報、前記フレーム交換部における出力先ポート識別子及び前記第２形式のフレームへの変換の要否を示すフレーム変換要否情報の対応を記憶するテーブルと、
を備えることを特徴とするフレーム転送装置。
【００７９】
（付記２）
前記第１形式のフレームはＭＡＣフレームであり、前記第２形式のフレームはＲＰＲ（Ｒｅｓｉｌｉｅｎｔ  Ｐａｃｋｅｔ  Ｒｉｎｇ）フレームであり、前記フレームの識別情報はＭＡＣアドレスまたはＶＬＡＮアドレスである付記１に記載のフレーム転送装置。
【００８０】
（付記３）
前記第１インタフェース部は、前記第２インタフェース部からの前記第１形式のフレームと、前記処理部からの前記第２形式のフレームと、が転送されたとき、前記第２形式のフレームを前記第１形式のフレームに優先して前記リングネットワークへ送信することを特徴とする付記１に記載のフレーム転送装置。
【００８１】
（付記４）
前記第２インタフェース部及び前記処理部は、それぞれ前記第１形式及び第２形式のフレームに優先度情報を付加する優先度情報付加部を各々備え、
前記処理部の前記優先度情報付加部が前記第２形式のフレームに与える優先度は、前記第２インタフェース部の前記優先度情報付加部が前記第１形式のフレームに与える優先度よりも高く、
前記第１インタフェース部は、これらのフレームに付加された前記優先度情報に従って、前記リングネットワークへ前記フレームを送信する順序を定めるスケジューラを備えることを特徴とする付記３に記載のフレーム転送装置。
【００８２】
（付記５）
前記第１インタフェース部から前記リングネットワークへ送信されるフレームの流量に応じて、前記第２インタフェース部から前記第１インタフェース部へ転送される前記第１形式のフレームの流量を制限するフレーム流量制限部を、さらに備えることを特徴とする付記１〜４のいずれか一項に記載のフレーム転送装置。
【００８３】
（付記６）
前記第２インタフェース部は、前記他のネットワークから受信した前記リングネットワークへ送信されるべき前記第１形式のフレームが、前記第２形式のフレームへ変換されるべきか否かを判定する変換要否判定部を備えることを特徴とする付記１〜５のいずれか一項に記載のフレーム転送装置。
【００８４】
（付記７）
前記変換要否判定部は、前記リングネットワークへ送信されるべき前記フレームの送信元アドレス、宛先アドレス、タグ情報及び優先度のいずれかに応じて、当該フレームが変換されるべきであるか否かを判定することを特徴とする付記６に記載のフレーム転送装置。
【００８５】
（付記８）
前記変換要否判定部は、前記第１インタフェース部から前記リングネットワークへ送信される前記第２形式のフレームの流量に応じて、変換すべきフレームの量を動的に制御する付記６又は７に記載のフレーム転送装置。
【００８６】
（付記９）
前記第１インタフェース部、前記第２インタフェース部、及び前記処理部を前記フレーム転送装置のバックボード配線へ接続するそれぞれの接続コネクタが、前記接続ポートへ相互に入れ替え可能に構成されることを特徴とする付記１〜８のいずれか一項に記載のフレーム転送装置。
【００８７】
（付記１０）
前記処理部であるＲＰＲカードを、前記フレーム交換部へ複数枚装着し、前記第１インタフェース部がフレーム送信に使用する伝送帯域毎に、各前記ＲＰＲカードを割り当てることを特徴とする付記９に記載のフレーム転送装置。
【産業上の利用可能性】
【００８８】
本発明は、フレーム（パケット）転送装置に利用可能であり、特にレジリエントパケットリング（RPR: Resilient Packet Ring）ネットワーク上に配置され、ＲＰＲネットワークと他の伝送路との間でフレームを中継するステーション装置に利用可能である。
【図面の簡単な説明】
【００８９】
【図１】ＲＰＲネットワークの構成例を示す図である。
【図２】従来のステーション装置の構成例を示すブロック図である。
【図３】図２に示すステーション装置内のＲＰＲ処理部の構成例を示すブロック図である。
【図４】図２に示すステーション装置内のフレーム交換部に冗長性を持たせた構成例を示すブロック図である。
【図５】図４に示すステーション装置内のＲＰＲ処理部に冗長性を持たせた構成例を示すブロック図である。
【図６】（Ａ）は、ＲＰＲフレームを取り扱う伝送帯域と通常のＭＡＣフレームを取り扱う伝送帯域とを固定させてＲＰＲネットワーク回線を使用する状態の模式図であり、（Ｂ）は、ＲＰＲフレームを取り扱う伝送帯域と通常のＭＡＣフレームを取り扱う伝送帯域とを混在させてＲＰＲネットワーク回線を使用する状態の模式図である。
【図７】本発明によるステーション装置の第１実施例の構成を示すブロック図である。
【図８】（Ａ）はＭＡＣフレームの形式を示し、（Ｂ）は（Ａ）に示すＭＡＣフレームをカプセル化したＲＰＲフレームの形式を示す図である。
【図９】（Ａ）及び（Ｂ）は、それぞれ図８の（Ａ）及び図８の（Ｂ）に示すフレームにフレーム交換部内経路選択用ヘッダを付加したフレームを示す図である。
【図１０】本発明の実施例によるステーション装置内のフレームの経路の第１例を示す図である。
【図１１】（Ａ）〜（Ｅ）は図１０の各部におけるフレームフォーマットを示す図である。
【図１２】アドレステーブルの第１例を示す図である。
【図１３】アドレステーブルの第２例を示す図である。
【図１４】図７に示す高速側インタフェースの構成例を示すブロック図である。
【図１５】図７に示す低速側インタフェースの第１構成例を示すブロック図である。
【図１６】図７に示すＲＰＲ処理部の構成例を示すブロック図である。
【図１７】図１６に示すフレーム交換部インタフェースの構成例を示す図である。
【図１８】図７に示す低速側インタフェースの第２構成例を示すブロック図である。
【図１９】本発明の実施例によるステーション装置内のフレームの経路の第２例を示す図である。
【図２０】本発明によるステーション装置の第２実施例の構成を示すブロック図である。
【図２１】図２０に示す高速側インタフェースの第１構成例を示すブロック図である。
【図２２】図２０に示す低速側インタフェースの構成例を示すブロック図である。
【図２３】図２０に示すＲＰＲ処理部の構成例を示すブロック図である。
【図２４】図２３に示すフレーム交換部インタフェースの構成例を示す図である。
【図２５】図２０に示す高速側インタフェースの第２構成例を示すブロック図である。
【図２６】本発明の実施例によるステーション装置内のフレーム交換部に冗長性を持たせた構成例を示すブロック図である。
【図２７】図２６に示すステーション装置内のＲＰＲ処理部に冗長性を持たせた構成例を示すブロック図である。
【図２８】ＲＰＲ処理部、高速側インタフェース及び低速側インタフェースを、バックボード配線へ接続する各コネクタがピンコンパチブルに構成された場合の本発明によるステーション装置の実施例の構成を示すブロック図である。
【図２９】図２８に示す高速側インタフェースのフレーム交換部インタフェースの構成例を示すブロック図である。
【図３０】図２８に示す低速側インタフェースのフレーム交換部インタフェースの構成例を示すブロック図である。
【符号の説明】
【００９０】
１    ＲＰＲ処理部
３、３ａ〜３ｄ    高速側インタフェース
５、５ａ〜５ｘ    低速側インタフェース
７    フレーム交換部
８    経路選択情報生成部
ＮＴ１〜ＮＴ４    外部ネットワーク
Ｒ０、Ｒ１    リングレット
ＲＮ    ＲＰＲネットワーク
Ｓ１〜Ｓ４    ステーション装置
【図１】
2008211569.tif 000003
【図２】
2008211569.tif 000004
【図３】
2008211569.tif 000005
【図４】
2008211569.tif 000006
【図５】
2008211569.tif 000007
【図６】
2008211569.tif 000008
【図７】
2008211569.tif 000009
【図８】
2008211569.tif 000010
【図９】
2008211569.tif 000011
【図１０】
2008211569.tif 000012
【図１１】
2008211569.tif 000013
【図１２】
2008211569.tif 000014
【図１３】
2008211569.tif 000015
【図１４】
2008211569.tif 000016
【図１５】
2008211569.tif 000017
【図１６】
2008211569.tif 000018
【図１７】
2008211569.tif 000019
【図１８】
2008211569.tif 000020
【図１９】
2008211569.tif 000021
【図２０】
2008211569.tif 000022
【図２１】
2008211569.tif 000023
【図２２】
2008211569.tif 000024
【図２３】
2008211569.tif 000025
【図２４】
2008211569.tif 000026
【図２５】
2008211569.tif 000027
【図２６】
2008211569.tif 000028
【図２７】
2008211569.tif 000029
【図２８】
2008211569.tif 000030
【図２９】
2008211569.tif 000031
【図３０】
2008211569.tif 000032